(57)【要約】【目的】本発明は、広範囲で音声を聞き取ることができ、しかも仏具としてのイメージを保ちつつ、使用形態及び収納形態に優れた読経装置を提供することを目的とするものである。【構成】上面に蓋体４が取り付けられる本体ケース１に、お経などの音声データが記憶されたメモリ３１と、メモリ３１に記憶された音声データを出力するスピーカ５と、音声データに対応する経文などを記した書面部９とを備え、スピーカ５を本体ケース１の底面から発声するように配置し、蓋体４にスピーカ５からの発声が妨げられないように本体ケース１を傾斜した状態に保持する係止部４ｂを備えたものである。【選択図】  図４
2004159893.tif 000002
【特許請求の範囲】
【請求項１】
上面に蓋体が取り付けられる本体ケースに、お経などの音声データが記憶された記憶手段と、該記憶手段に記憶された音声データを出力するスピーカと、音声データに対応する経文などを記した書面部とを備えた装置であって、前記スピーカを本体ケースの底面から発声するように配置し、前記蓋体にスピーカからの発声を妨げないように本体ケースを傾斜した状態に保持する支持部を備えたことを特徴とする読経装置。
【請求項２】
お経などの音声データを記憶した記憶手段と、該記憶手段に記憶された音声データを出力する音声出力部と、音声データに対応する経文などを記した書面部とを一体的に備えた経本と、
該経本が着脱自在に収容される収容部と、経本の音声出力部と接続されるスピーカとを備えた本体ケースと、
該本体ケースの上面に取り付けられる蓋体とから構成され、
前記本体ケースの底面にスピーカに臨む音声窓を形成するとともに、前記蓋体に本体ケースの音声窓が塞がれないように本体ケースを傾斜した状態に保持する支持部を備えたことを特徴とする読経装置。
【請求項３】
前記支持部は、蓋体の側面板に形成され、蓋体を垂直に立てた状態で前記本体ケースの一辺を係止し、本体ケースを前下がりに傾斜するよう保持することを特徴とする上記請求項１または２記載の読経装置。
【発明の詳細な説明】
【０００１】
【産業上の利用分野】
本発明は、寺院の僧侶が唱えるお経や講話などを聞き、時にはそれに併せて経文を唱えるのに用いられる読経装置に関するものである。
【０００２】
【従来の技術】
従来の装置として、本出願人は先に実用新案登録第３０３３５２１号を提案している。この装置は、表カバーと裏カバーとを見開き状に開閉自在で連結し、裏カバーに音声データを記憶した記憶手段などの電子回路を組み込み、表カバーに音声データに対応する記述を施した書面を綴り、カバーを開閉することで音声の再生と停止を行えるようにしたものである。この装置には、音声データとして例えば『般若心経』などのお経や僧侶の講話などが記憶されており、カバー内面に設けた選択スイッチを操作することにより好みの音声データを選択できるようになっている。そして、選択した音声データは裏カバーの背面に設けたスピーカ、もしくはイヤホンジャックを通じて出力される。
【０００３】
【発明が解決しようとする課題】
ところで、このような装置は、携帯性を考慮して提供されたものであり、常日頃からお経に接し個人的な読経や暗誦に勤しむには非常に適しているが、大勢の人が一斉に仏前で読経をするに当たり、僧侶の代わりとして読経を先導する装置としてはいささか物足りないものであった。これは、この装置が背面側にスピーカを要しているため、例えば書見台などに置いた状態では音声が聞き取りにくくなるためである。
【０００４】
また従来、お経が録音されたカセットテープやＣＤ等の記憶媒体を専用の再生機で再生することも行われてきたが、仏壇などの周囲で使用する装置としてはその形態が特異な存在となり、厳粛な雰囲気と合わない。加えて、記憶媒体・再生機・経本とがそれぞれ別体であるため、収納などに問題がある。
そこで本発明は、広範囲で音声を聞き取ることができ、しかも仏具としてのイメージを保ちつつ、使用形態及び収納形態に優れた読経装置を提供することを目的とするものである。
【０００５】
【課題を解決するための手段】
この課題を解決するために本発明は、上面に蓋体が取り付けられる本体ケースに、お経などの音声データが記憶された記憶手段と、該記憶手段に記憶された音声データを出力するスピーカと、音声データに対応する経文などを記した書面部とを備え、前記スピーカを本体ケースの底面から発声するように配置し、前記蓋体にスピーカからの発声が妨げられないように本体ケースを傾斜した状態に保持する支持手段を備えたものである。
【０００６】
また、お経などの音声データを記憶した記憶手段と、該記憶手段に記憶された音声データを出力する音声出力部と、音声データに対応する経文などを記した書面部とを一体的に備えた経本と、該経本が着脱自在に収容される収容部と、経本の音声出力部と接続されるスピーカとを備えた本体ケースと、該本体ケースの上面に取り付けられる蓋体とから構成し、本体ケースの底面にスピーカに臨む音声窓を形成するとともに、蓋体に本体ケースの音声窓が塞がれないように本体ケースを傾斜した状態に保持する支持部を備えたものである。
【０００７】
支持部は、蓋体の側面板に形成され、蓋体を垂直に立てた状態で前記本体ケースの一辺を係止し、本体ケースを前下がりに傾斜するよう保持する。
【０００８】
【作用】
このような本発明によれば、本体ケースの蓋体を取り外すと、本体ケースの上面にお経などを記した書面部が現れる。電源を入れると、本体ケースの底面に設けたスピーカから音声が流れるので、使用者は書面部を見ながらこの音声に合わせてお経を唱えるのである。この時、本体ケースは支持手段によって傾斜した状態に保持されるので、本体ケースを傾斜させることで生じる本体ケース底面と設置面との隙間からスピーカからの音声が広がり、本体ケース周囲の広い範囲でお経を聴取することができるようになる。
【０００９】
また、本体ケースを傾斜させて使用することにより、本体ケース上面の書面部が見やすい状態となり、流れてくるお経に合わせて読経を行うに非常に適した使用形態が得られる。
【００１０】
一方、音声データを記憶した記憶手段と、音声データを出力する音声出力部と、音声データに対応する経文などを記した書面部とを一体的に備えた経本を本体ケースに着脱自在とした装置であっては、経本を本体ケースにセットした状態で使用することはもちろん、経本を本体から取り外して携帯しながら使用することが可能になる。
【００１１】
尚、本体ケースは、蓋体の支持部によってスピーカが塞がれないように傾斜した状態に保持されるので、これまで経本の保管にのみ使用されていた本体ケース及び蓋体を有効利用して画期的な使用形態が得られる。
【００１２】
【実施例】
以下、図面を用いて本発明一実施例について説明する。図１は本発明の読経装置における収納状態を示す外観図、図２は使用状態を示す外観図、図３は該装置における経本を取り外した状態を示す説明図、図４は使用状態の内部断面図、図５は経本の内部断面図である。
１は本体ケースで、桐などの木材を上面を開放した直方体の箱状に組み合わせて構成されており、上面には経本２を収容する凹部収容部３を設けている。４は本体ケース１の上面に取り外し自在に設けられる蓋体で、本体ケース１の上面に外嵌される大きさをなし、本体ケースと同様の材質で下面を開放した直方体に形成されている。この装置は、本体ケース１の上面に蓋体４を取り付けた状態で収納され（図１）、使用時には蓋体４を取り外し、縦長に立てた蓋体４に本体ケース１を前下がりに傾斜するように載置される（図２）。
【００１３】
本体ケース１は、図４に示すように、各側面板１ａ…の下端よりも高い位置に底板１ｂを取り付けて底部に段部１ｃを形成している。ケース内部にはスピーカ５が備えられており、底板１ｂの上方寄りに開口した音声窓１ｄに臨んで配置されている。スピーカ５には、先端部にピンプラグ６を備えた接続ライン７が連結されており、後述する経本２のイヤホンジャックに接続することで、経本２からの音声データを出力することが可能となる。
【００１４】
経本２は、図３及び図５に示すように、表カバー２ａと裏カバー２ｂとをヒンジ８，８を介して開閉自在に連結した見開き状に構成されている。表カバー２ａの内面には、経文（ここでは般若心経）を印刷した書面９が逆Ｕ字状のリング１０，１０によって綴られている。裏カバー２ｂの内面には、内面板１１が設けられており、この内面板１１に乾電池を内装する電池ボックスのカバー１２と、表カバー２ａを閉じた時にリング１０，１０が嵌まる切溝１３，１３と、音量を調整するボリュームスイッチ１４と、登録された音声データを選択する音声選択スイッチ１５とを備えている。また、裏カバー２ｂの背面には、内蔵されるスピーカ１６を臨む音声窓１７が設けられ、底面にはイヤホンジャック１８が設けられている。
【００１５】
経本２に綴られる書面９は、表裏に縦書きの印刷を施した１枚の頁を短冊状に折り畳んだものであり、一辺に各折り畳み幅よりも突出させた突出片９ａを形成し、この突出片９ａに穿設した綴穴９ｂをリング１０，１０に通すことにより、表カバー２ａに回動自在に綴られている。リング１０，１０は、一方を表カバー２ａの壁面と同体化させ、他方の端部をこの壁面に対して間隔ｓを取った自由端としており、この間隔ｓより書面９を綴るようにしてある。尚、この間隔ｓは、リング１０，１０の端部が弾性体１９に嵌まることで、通常は露出することはない。
【００１６】
切溝１３，１３は、リング１０，１０のＵ字部が挿通する形状とされており、いずれか一方にはリング１０により押圧されるスイッチ片２０が設けられている。スイッチ片２０は、裏カバー２ｂ内に設けられる回路基板２１上から切溝１５内に臨む格好で取り付けられ、表カバー２ａと裏カバー２ｂとが閉じられた時に回路基板２１上のスイッチ端子２２を開路する電源スイッチとして機能するものである。
【００１７】
音声選択スイッチ１５は、裏カバー２ｂの内面板１１の一辺に複数の切り込みｋを入れ、押圧操作により撓むように、内面板１１の端部に一体形成されている。この音声選択スイッチ１５の裏面には、回路基板２１上に設けた電源端子２３とスイッチ端子２４とにそれぞれ対応する突起１５ａ，１５ｂが設けられており、スイッチ１１を押圧することによって押圧板２５・導電板２６が変形して電源端子２４とスイッチ端子２５とを導通するようになっている。尚、押圧板２５・導電板２６の下には、回路基板２１の電源端子２３とスイッチ端子２４とに対応する部分が切り抜かれた絶縁シート２７があり、スイッチ１５を押圧しない状態では電源端子２３とスイッチ端子２４は常時絶縁されているのである。
【００１８】
このように構成する経本２によれば、スピーカ１６を内蔵しているので、前記本体ケース１から外し、単独で使用することができる。また、イヤホンジャック１８にイヤホン（図示しない）を接続し個人的な視聴を行うこともできる。
【００１９】
前記本体ケース１の凹部収容部３は、図３に示すように、経本２の表カバー２ａが収容される表カバー収容部３ａと、裏カバー２ｂが収容される裏カバー収容部３ｂとで形成されている。また、各収容部３ａ，３ｂの外縁には、指が入る程度の大きさに張り出した膨出凹部３ｃが形成され、裏カバー収容部３ｂの下部には、裏カバー２ｂのイヤホンジャック１８に接続される前記本体ケースのスピーカ５のピンプラグ６が収容されるプラグ収容部３ｄが形成されている。尚、表カバー収容部３ａは、経本２の表カバー２ａが開閉しやすいように、表カバーが遊陥される大きさとし、逆に裏カバー収容部３ｂは、裏カバー２ｂを固定するために、裏カバーが固着される大きさとしている。
【００２０】
前記本体ケース１の蓋体４は、図５に示すように、長辺側の両側面板に切欠部４ａ，４ａを形成しており、この切欠部４ａの下方端部には、本体ケース１の段部１ｃが引っ掛かる係止凸部４ｂを形成している。この蓋体４は、係止凸部４ｂが形成された側が下に来るようにして縦長の状態に立て、本体ケース１の段部１ｃを係止凸部４ｂに引っ掛けることにより、本体ケース１を傾斜した状態に保持する役割を有するものである。このとき、本体ケース１を上辺側の段部１ｃで係止することにより、スピーカ５が床面Ｆから浮いた状態となり、スピーカ５から発せられる音声が塞がらず、本体の周囲に反響するようになる。また、本体ケース１が前下がりに傾斜した状態となるので、経本２の書見台としても機能する。尚、蓋体４の内面にお経を唱える僧侶の名前や仏を模した記載を施すことにより仏具としてのイメージが向上し、蓋体４をセットする上での目印としても役立つ。
【００２１】
次に、図６を用いて本装置の制御系について説明する。
３０は経本２の回路基板２１上に設けられるマイクロコンピュータで、音声データが記憶されたメモリ３１が内蔵され、ボリュームスイッチ１４・音声選択スイッチ１５・電源スイッチ２０が接続されている。音声は、増幅器３２を介して、スピーカ１６もしくはイヤホンジャック１８に出力される。このイヤホンジャック１８には、イヤホンもしくは本体ケース１のスピーカ５が接続されるもので、イヤホンジャック１８にどちらかが差し込まれた状態では経本２内のスピーカ１６からは音声出力されない。
【００２２】
メモリ３１には、音声選択スイッチ１５で選択される番号に応じた音声データが記憶されている。ここでは、１番の音声選択スイッチを押圧すると、「般若心経」が選択され、２番の音声選択スイッチを押圧すると、「般若心経に関する僧侶の講話」、３番の音声選択スイッチを押圧すると、「寺院の歴史」が選択されるようになっている。むろん、音声データの内容、種類、数量に関しては特に限定されるものでない。
【００２３】
このように構成する本発明の動作について説明する。ここでは、本体ケース１に経本２を収容した状態で使用する場合について説明する。本体ケース１から蓋体４を外し、係止凸部４ｂが下側に来るようにして縦長の状態に立て、本体ケース１の上部側の段部１ｃを係止凸部４ｂに引っ掛けて、本体ケース１を前下がりに傾斜した状態でセットする。スピーカ５のピンプラグ６を経本２のイヤホンジャック１８に接続し、経本２を本体ケース１の凹部収容部３に置いて、表カバー２ａを開くと、リング１０によって電源スイッチ２０が閉じ、回路基板２１の電源が導通されてスピーカ５からお経が流れる。そして、書面９を表カバー２ａと裏カバー２ｂの内面に見開き、流れているお経の頁を開いてお経に合わせて読経を行うのである。
【００２４】
本体ケース１を前下がりに傾斜したことにより、本体ケース１が経本２の書見台として機能し、経本を見ながら読経を行うのに非常に適した使用形態が得られる。また、本体ケース１の底板１ｂに設けたスピーカ５が床面との隙間を持った状態に保持されるので、スピーカから発する音声がその隙間を通じて外部に広がり、音量を落とすことなく周囲ではっきりと聞き取ることができるようになる。更に、音声は蓋体４に反射して本体ケース１の前方にも反響するので、あたかもその場で高僧に読経していただいてるような臨場感が得られるのである。尚、音声データは、音声選択スイッチ１５を入力することにより、適時切り替えることが可能であり、最初からお経を聞き直したい場合にも有効に用いられる。
【００２５】
この他の使い方としては、経本２を本体ケース１から取り出し、従来装置と同様な方法で使用することができる。経本２は、それ自体に発声機能が備えられているため、本体ケース１から取り外しても音声を聞くことができるのである。
【００２６】
尚、本発明は上記実施例に限定されるものではなく、権利範囲内において様々な実施態様が考えられる。例えば、上記実施例では、音声データを再生する機能を備えた経本を本体ケースに着脱自在に設けたものであるが、図７に示すように、本体ケースに音声データを記憶したメモリ、音声選択スイッチなどの機能を内蔵させ、書面のみを本体ケースの上面に備える構成であってもよく、本体ケースのスピーカを塞がないように本体ケースを傾斜させて使用するものであれば良い。
【００２７】
また、本体ケースを係止する構成も上記実施例に限定されるものではなく、例えば、図８に示すように、蓋体を本体ケースの底面に回動自在に取り付け、蓋体を垂直に立ち上げると本体ケースが傾斜した状態に保持されるように、蓋体と本体ケースとの動作をリンクさせるようにしても良い。
【００２８】
【発明の効果】
以上のように本発明は構成され、音声出力機能と経本とを備えた本体ケースの底面にスピーカを設け、本体ケースの蓋体にスピーカを塞がないように本体ケースを傾斜させた状態に保持する支持部を設けたので、本体ケースを傾斜させることで生じる本体ケース底面と設置面との隙間からスピーカからの音声が広がり、広範囲に渡ってお経などの音声データが聴取できるようになる。
【００２９】
また、経本に音声出力機能を持たせ、この経本をスピーカを有する本体ケースに接続し、本体ケースの底板にスピーカを臨む音声窓を形成するとともに、蓋体に本体ケースの音声窓が塞がれないよう本体ケースを保持する係止部を形成したので、音声窓を表面上露出させることなく、仏具としての外観を損ねることなく構成することができる。そして、経本は本体ケースから取り外して単独で使用することが可能になり、携帯性を持たせることができる。
【００３０】
このように、経本の収納箱としての役割しかなかった本体ケース及び蓋体を音声スピーカ・書見台としての利用することができる。そして、箱形の本体ケースに全ての構成が内蔵されているので、コンパクトな収納形態が得られる。
【図面の簡単な説明】
【図１】本発明の読経装置における収納状態を示す外観図である。
【図２】本装置の使用状態を示す外観図である。
【図３】本装置における経本を取り外した状態を示す説明図である。
【図４】本装置の使用状態の内部断面図である。
【図５】本装置の経本２の内部断面図である。
【図６】本装置の制御系を示すブロック図である。
【図７】本発明の別の実施例を示す説明図である。
【図８】本発明のまた別の実施例を示す説明図である。
【符号の説明】
１  本体ケース
２  経本
４  蓋体
４ｂ  係止部
９  書面部
【図１】
2004159893.tif 000003
【図２】
2004159893.tif 000004
【図３】
2004159893.tif 000005
【図４】
2004159893.tif 000006
【図５】
2004159893.tif 000007
【図６】
2004159893.tif 000008
【図７】
2004159893.tif 000009
【図８】
2004159893.tif 000010